(57)【特許請求の範囲】
【請求項１】
フレームに配設されたフットボードの踏込操作によってビータを回動させ、ドラムヘッドを打撃するドラム用フットペダルにおいて、
前記フレームのフレーム本体と、前記フットボードの後端に取付けられるヒールとを連結する連結板を備え、前記フットボードは前記連結板が前記フレーム本体に対して水平方向に相対回動自在に取付けられることにより、前記連結板と一体に回動するように構成されていることを特徴とするドラム用フットペダル。
【請求項２】
請求項１記載のドラム用フットペダルにおいて、
前記フットボードの踏込力をビータに伝達する踏力伝達部材の一端が前記フットボードに捩れ防止機構を介して連結されていることを特徴とするドラム用フットペダル。
【請求項３】
請求項２記載のドラム用フットペダルにおいて、
前記捩れ防止機構が、フットボードに対して回転自在に配設された回転板からなり、この回転板に前記踏力伝達部材の一端が連結されていることを特徴とするドラム用フットペダル。
【発明の詳細な説明】
【０００１】
【産業上の利用分野】
この発明は、足の踏込操作によってバスドラムのドラムヘッドを打撃するドラム用フットペダルに関し、特にドラムセットのセッティングおよび演奏上の自由度を増大させ得るようにしたドラム用フットペダルに関するものである。
【０００２】
【従来の技術】
フットボードの踏込操作によってビータを回動させ、これによりバスドラムのドラムヘッドを打撃するこの種のドラム用フットペダルとしては従来から種々提案されている（例：実公昭５８−４３０３５号公報等）。
【０００３】
図９および図１０はドラム用フットペダルの従来例を示す斜視図および概略平面図である。これを概略説明すると、このドラム用フットペダル１は、床面に設置されるフレーム２を備えている。フレーム２は、フレーム本体２Ａと、フレーム本体２Ａの上面に立設された左右一対の支柱部２Ｂと、フレーム本体２Ａに連結部材３を介して連結されたヒール２Ｃ等で構成され、フレーム本体２Ａにはバスドラム４の締め枠（フープ）５を保持固定するクランプ金具６が取り付けられている。一対の支柱部２Ｂ，２Ｂの上端間には回動軸７が軸受を介して回転自在に配設されており、この回動軸７の中央にはロッカ８が取り付けられ、またロッカ８にはバスドラム４のドラムヘッドを打撃するビータ９がビータロッド１０を介して配設されると共に、フットボード１１の踏込力を前記ビータ９に伝達する踏力伝達部材１２の一端が接続されている。踏力伝達部材１２としては、タイミングベルト、可撓性を有する皮革または樹脂製のバンド、チェーン等が用いられる。フットボード１１は、足を載せるに十分な大きさの平板状に形成され、前端が前記踏力伝達部材１２の他端に連結され、後端が前記ヒール２Ｃに上下方向に回動自在に連結されている。前記回動軸７の一端には前記フットボード１１に復帰方向の回動習性を付与する復帰ばね（図２では省略）１３の上端がカムプレート１４を介して連結されており、この復帰ばね１３の下端は一方の支柱部２Ｂの下端部に設けられたばね受部材１５に連結されている。
なお、１６はラグ、１７は締めボルト、１８は掛金である。
【０００４】
このような構成からなるドラム用フットペダル１において、フットボード１１は前記復帰ばね１３のばね力によって通常図９に示す如く前上がりに所定角度傾斜した状態に保持されており、この状態より踏込操作されると、踏力伝達部材１２が引き下げられ、これによりビータ９が回動軸７と一体に回動してバスドラム４のドラムヘッドを打撃する。このときのフットボード１１の最大踏込角度は、１５°程度である。打撃後、フットボード１１から踏込力を取り除くと、フットボード１１は復帰ばね１３のばね力によって上昇回動し、初期位置に復帰する。
【０００５】
【発明が解決しようとする課題】
しかしながら、従来のドラム用フットペダル１はいずれもバスドラム４と正対するようしっかりと固定されているので、演奏者のバスドラム４に対する向き、言い換えればバスドラム４のセッティング角度が制約され、向きもしくはセッティング角度が悪いと、フットボード１１上に足をしっかり載せて演奏することができず、ドラムセットのセッティングおよび演奏上の自由度が少ないという問題があった。それでも実際は足を斜めにしてフットボード１１からはみ出たままの状態で演奏することもあるが、その場合は踏込力の伝達ロスが大きく、必要以上に大きさ踏込力を必要とする。
また、フットボード１１がドラムヘッドの中央下部にあって演奏者側に突出しているので、ドラムのセッティング時にフットボード１１が邪魔になったりすることがある。
【０００６】
したがって、この発明は上記したような従来の問題点に鑑みてなされたもので、その目的とするところは、フットボードおよびまたはバスドラムを演奏者の最も演奏し易い角度にセットすることができ、ドラムセットのセッティングおよび演奏上の自由度を増大させ得、またドラムのセッティング時にフットボードが邪魔にならないようにしたドラム用フットペダルを提供することにある。
【０００７】
上記目的を達成するため、請求項１記載の発明は、フレームに配設されたフットボードの踏込操作によってビータを回動させ、ドラムヘッドを打撃するドラム用フットペダルにおいて、前記フレームのフレーム本体と、前記フットボードの後端に取付けられるヒールとを連結する連結板を備え、前記フットボードは前記連結板が前記フレーム本体に対して水平方向に相対回動自在に取付けられることにより、前記連結板と一体に回動するように構成されていることを特徴とする。
請求項２記載の発明は、前記フットボードの踏込力をビータに伝達する踏力伝達部材の一端が前記フットボードに捩れ防止機構を介して連結されていることを特徴とする。
請求項３記載の発明は、前記捩れ防止機構が、フットボードに対して回転自在に配設された回転板からなり、この回転板に前記踏力伝達部材の一端が連結されていることを特徴とする。
【０００８】
【作用】
請求項１に記載の発明において、フットボードは連結板と共にフレームに対して左右方向に回動自在で、演奏者の演奏し易い角度にセットされる。また、バスドラムに固定されるフレーム本体と連結板とは相対回動自在なため、フレーム本体を連結板に対して回動させると、フットボードに対するドラムのセッティング角度を変更し得る。
請求項２，３に記載の発明において、捩れ防止機構は、フットボードもしくはドラムセットのセッティング角度を演奏者の演奏し易い角度に変えた際、踏力伝達部材が捩れるのを防止し、フットボードの踏込力をビータ側に確実に伝達し、踏力伝達部材の破断等を防止する。
【０００９】
【実施例】
以下、この発明を図面に示す実施例に基づいて詳細に説明する。
図１〜図６はこの発明に係るドラム用フットペダルの一実施例を示すもので、図１は同ペダルの分解正面図、図２は同じく分解側断面図、図３は要部の一部破断側面図、図４はフットボードの平面図、図５は同ボードの一部破断側面図、図６は捩れ防止機構の分解図である。なお、図中図９および図１０と同一構成部品のものに対しては同一符号をもって示し、その説明を省略する。これらの図において、本実施例はフレーム２の下方に連結板２０を配設し、この連結板２０の前端部上面にフレーム本体２Ａを回転自在に配設し、後端部上面にヒール２Ｃを設置固定し、フットボード１１の前端に踏力伝達部材１２を捩れ防止機構２２を介して連結したものである。連結板２０の前端部幅方向中央にはねじ取付孔２３が形成されており、このねじ取付孔２３にはビス２４が下方から挿入されてフレーム本体２Ａの下面中央に形成されたねじ孔２５にねじ込まれることにより、前記ビス２４がフレーム本体２Ａの回転軸を形成している。ヒール２Ｃは連結板２０の後端部上面に複数個のビス２６によって強固に固定されている。このため、連結板２０を前記ビス２４を中心として回動させると、フットボード１１もこれと一体に回動し、後端（ヒール側）が左右に振られる。そして、連結板２０の下面前後端部には滑りを防止する複数個の突状体２７が連結板２０の長手方向に適宜間隔をおいて突設されている。
【００１０】
前記捩り防止機構２２は、フットボード１１の前端部下面に設けられたねじ孔３２にねじ込まれるボルト３１によってフットボード１１の下面に回転自在に配設された回転板３０を備えている。また、回転板３０の下面には踏力伝達部材１２の下端に設けた固定金具３３が前記ボルト３１によって固定されている。踏力伝達部材１２としては、本実施例の場合チェーンを用いたが、これに限らず皮革、樹脂製のベルト、タイミングベルト等を使用してもよいことは勿論である。前記フットボード１１の後端は、前記ヒール２Ｃに枢軸３５を介して上下方向に回動自在に連結されている。
なお、図３において３６はクランプ金具６をフープに押し付ける固定ねじ、３７はフットボード１１を踏み込んだ際の衝撃でドラム用フットペダル１とバスドラムが動くのを防止するアンカースクリューである。
【００１１】
かくしてこのような構成からなるドラム用フットペダル１においては、バスドラムに対するフットボード１１の向きを自由に変更することができる。すなわち、フレーム本体２Ａと連結板２０は相対回動自在であるため、図７に示すようにフレーム本体２Ａをクランプ金具６によってバスドラムのフープに固定した状態で、連結板２０を例えば矢印方向３８に回動させると、これと一体にフットボード１１も回動し、バスドラム４に対してフットボード１１を斜めにセッティングすることができる。この時、フレーム本体２Ａはドラムヘッドと正対するようバスドラム４のフープ５に固定されているので、フットボード１１を踏込操作しても、ビータ９は正しくドラムヘッドを打撃することができる。
また、図８に示すようにフットボード１１自体の向きは変えずフレーム本体２Ａをフットボード１１に対して矢印方向３９方向に回動させると、バスドラム４も同方向に回動するため、バスドラム４のセッティング角度を変更することができる。
【００１２】
ここで、フットボード１１もしくはバスドラム４の向きを変えると、踏力伝達部材１２のフットボード１１との連結端部が捩れて踏込力を正しく伝達する事ができなくなるが、この発明においては捩れ防止機構２２を介してフットボード１１と踏力伝達部材１２を連結しているので、フットボード１１を回動させてその向きを変えても、回転板３０自体は回転せず、したがって、踏力伝達部材１２が捩れたりせず、フットボード１１の踏込力をビータ９に確実に伝達することができる。また、踏力伝達部材１２としてバンド、タイミングベルト等を用いた場合は、その破断を防止することができる。
【００１３】
なお、上記実施例は左右一対の支柱２Ｂを有するフレーム２を備えたドラム用フットペダル１に適用した場合について説明したが、この発明はこれに何等特定されるものではなく、支柱２Ｂの数は任意で、１本もしくは２本以上の支柱を有するフレームを備えたドラム用フットペダルにも適用実施し得ることは勿論である。
【００１４】
【発明の効果】
以上説明したように、請求項１に記載の発明に係るドラム用フットペダルは、フレームに対してフットボードを左右方向に回動自在に配設したので、バスドラムに対するフットボードの向きまたはドラムセットのセッティング角度を自由に変更することができる。したがって、演奏者は身体および足の向きを最も演奏し易い向きにして演奏することができ、演奏上の自由度を増大させることができる。また、フットボードを左右に振ってセットすると、ドラムセッティング時にフットボードが邪魔にならず、セッティング操作が容易である。
【００１５】
また、請求項２，３に記載の発明に係るドラム用フットペダルは、フットボードの踏込力をビータに伝達する踏力伝達部材とフットボードとを捩れ防止機構を介して連結しているので、フットボードの向きを変更したり、ドラムセットのセッティング角度を変更しても、踏力伝達部材の捩れを防止することができ、フットボードの踏込力をビータに確実に伝達することができる。さらに、捩れが発生しなければ踏力伝達部材の破断を防止することができる。
【図面の簡単な説明】
【図１】この発明に係るドラム用フットペダルの一実施例を示す分解正面図である。
【図２】同ペダルの分解側断面図である。
【図３】要部の一部破断側面図である。
【図４】フットボードの平面図である。
【図５】同ボードの一部破断側面図である。
【図６】捩れ防止機構の分解図である。
【図７】フットボードの向きを変えた状態を示す平面図である。
【図８】バスドラムのセッティング角度を変えた状態を示す平面図である。
【図９】ドラム用フットペダルの従来例を示す斜視図である。
【図１０】同フットペダルの概略平面図である。
【符号の説明】
１…ドラム用フットペダル、２…フレーム、２Ａ…フレーム本体、２Ｂ…支柱、２Ｃ…ヒール、４…バスドラム、５…フープ、７…回動軸、８…ロッカ、９…ビータ、１０…ビータロッド、１１…フットボード、１２…踏力伝達部材、２０…連結板、２２…捩れ防止機構、２４…ビス、３０…回転板。
【図１】
0003543394.tif 000002
【図２】
0003543394.tif 000003
【図３】
0003543394.tif 000004
【図４】
0003543394.tif 000005
【図５】
0003543394.tif 000006
【図６】
0003543394.tif 000007
【図７】
0003543394.tif 000008
【図８】
0003543394.tif 000009
【図９】
0003543394.tif 000010
【図１０】
0003543394.tif 000011